(57)【特許請求の範囲】
【請求項１】
底部と底部にヒンジ連結された相対する長側壁と同じく底部にヒンジ連結された相対する短側壁とを有するとともに、相対する長側壁及び相対する短側壁を、底部に重なるように倒すことにより折り畳むことが可能な折り畳みコンテナーにおいて、長側壁に配設された雄ヒンジ部材が、底部の長辺側土手部に配設された雌ヒンジ部材に、上下動可能にヒンジ連結されているとともに、長側壁の下端水平フランジの裏面には、上部嵌合部と該上部嵌合部の裏面に垂設された下部嵌合部とからなる嵌合部材が垂設されており、また、底部の長辺側土手部の水平部には、長側壁の下端水平フランジの裏面に垂設された嵌合部材に対応して、長側壁の下端水平フランジの裏面に垂設された嵌合部材の上部嵌合部が嵌合可能で、且つ、折り畳みコンテナーの内側が開口された上部凹部と嵌合部材の下部嵌合部が嵌合可能な嵌合透孔とからなる嵌合空間部が形成されており、更に、長側壁の下端水平フランジの裏面には、内面側と相対する側面側とが開放されたロッド嵌合用空間部が形成されたロッド嵌合ブロックが垂設されており、更にまた、底部の長辺側土手部には、該長辺側土手部の外側垂直部を、長辺側土手部の内側垂直部方向に凹ますことにより、嵌合ブロック挿入用空間部との隔壁に穿設された透孔を有するロック部材配設空間が形成されており、なお更に、ロック部材配設空間には、スライド基部の相対する側壁部の一方の側壁部に突設された、底部の長辺側土手部に形成された嵌合ブロック挿入用空間部とロック部材配設空間との隔壁に穿設された透孔及びロッド嵌合ブロックに形成されたロッド嵌合用空間部に挿通可能な嵌合ロッド部が突設されているスライド可能なロック部材が配設されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来の折り畳みコンテナーにおいては、短側壁に較べて、横幅の長い長側壁が、強度や曲げ剛性の点から弱く、変形し易いという問題があった。特に、折り畳みコンテナーの大型化に伴い、長側壁の横幅が、１メートルを越えるものや、２メートル近くにもなると、長側壁の変形が顕著となり、箱型に組み立てられた長側壁を持って運搬することが困難となる。
【０００３】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく傾倒したり湾曲するようなことはなく、従って、折り畳みコンテナーに収納されている物品が損傷するようなことはない。しかしながら、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後、両手で、それぞれ相対する長側壁の適当な把持部を持って、箱型に組み立てられた折り畳みコンテナーを運搬することが、通常、行われている。このように、相対する長側壁に形成されている把持部を持って、箱型に組み立てられた折り畳みコンテナーを運搬すると、長側壁が内側に大きく傾倒したり湾曲することになり、従って、折り畳みコンテナーに収納されている物品が損傷したり、長側壁が損傷するという問題があった。
【０００４】
上述した課題を解決するために、本出願人は、本出願人の先の出願である特許文献１において、長側壁に、上下動可能な傾倒抑制部材を配設し、傾倒抑制部材を下動させて、傾倒抑制部材のロッドを、長側壁がヒンジ連結されている底部の土手部に形成された透孔に嵌合することにより、長側壁の内側への傾倒や湾曲を抑制するようにした折り畳みコンテナーを提案した。
【０００５】
【特許文献１】特開２００５−５３４８２号公報
【発明の開示】
【発明が解決しようとする課題】
【０００６】
上述したように、長側壁に、上下動可能な傾倒抑制部材を配設し、傾倒抑制部材を下動させて、傾倒抑制部材のロッドを、長側壁がヒンジ連結されている底部の土手部に形成された透孔に嵌合することにより、長側壁の内側への傾倒や湾曲を抑制するようにした折り畳みコンテナーにおいては、長側壁を手で持って持ち上げた際に、強度や曲げ剛性の低い長側壁が変形し、長側壁が、長側壁がヒンジ連結されている底部の土手部から離反し、傾倒抑制部材のロッドが、底部の土手部に形成された透孔から抜け出るという問題があった。
【０００７】
また、上述したように、長側壁が、長側壁がヒンジ連結されている底部の土手部から離反する方向に持ち上がったり変形すると、長側壁と土手部を連結するヒンジ部に負荷がかり、ヒンジ部が損傷するという問題があった。
【０００８】
更に、長側壁に、上下動可能な傾倒抑制部材を配設し、傾倒抑制部材を下動させて、傾倒抑制部材のロッドを、長側壁がヒンジ連結されている底部の土手部に形成された透孔に嵌合するようにした折り畳みコンテナーにおいては、長側壁の横幅が長い場合には、傾倒抑制部材を、複数個、配設する必要があり、折り畳みコンテナーの組み立て作業の際に、長側壁を立てたり、折り畳みコンテナーの折り畳み作業の際に、長側壁を倒したりする際に、複数個の傾倒抑制部材を、上下動させなければならず、従って、折り畳みコンテナーの組み立て作業や折り畳みコンテナーの折り畳み作業の作業性が悪くなるという問題があった。
【０００９】
本発明の目的は、上述した従来の折り畳みコンテナーが有する課題を解決することにある。
【課題を解決するための手段】
【００１０】
本発明は、上述した目的を達成するために、底部と底部にヒンジ連結された相対する長側壁と同じく底部にヒンジ連結された相対する短側壁とを有するとともに、相対する長側壁及び相対する短側壁を、底部に重なるように倒すことにより折り畳むことが可能な折り畳みコンテナーにおいて、長側壁に配設された雄ヒンジ部材が、底部の長辺側土手部に配設された雌ヒンジ部材に、上下動可能にヒンジ連結されているとともに、長側壁の下端水平フランジの裏面には、上部嵌合部と該上部嵌合部の裏面に垂設された下部嵌合部とからなる嵌合部材が垂設されており、また、底部の長辺側土手部の水平部には、長側壁の下端水平フランジの裏面に垂設された嵌合部材に対応して、長側壁の下端水平フランジの裏面に垂設された嵌合部材の上部嵌合部が嵌合可能で、且つ、折り畳みコンテナーの内側が開口された上部凹部と嵌合部材の下部嵌合部が嵌合可能な嵌合透孔とからなる嵌合空間部が形成されており、更に、長側壁の下端水平フランジの裏面には、内面側と相対する側面側とが開放されたロッド嵌合用空間部が形成されたロッド嵌合ブロックが垂設されており、更にまた、底部の長辺側土手部には、該長辺側土手部の外側垂直部を、長辺側土手部の内側垂直部方向に凹ますことにより、嵌合ブロック挿入用空間部との隔壁に穿設された透孔を有するロック部材配設空間が形成されており、なお更に、ロック部材配設空間に、スライド基部の相対する側壁部の一方の側壁部に突設された、底部の長辺側土手部に形成された嵌合ブロック挿入用空間部とロック部材配設空間との隔壁に穿設された透孔及びロッド嵌合ブロックに形成されたロッド嵌合用空間部に挿通可能な嵌合ロッド部が突設されているスライド可能なロック部材を配設したものである。
【発明の効果】
【００１１】
上述したように、長側壁の下端水平フランジに、複数の嵌合部材を垂設し、底部の長辺側土手部には、長側壁が略垂直に立てられた際に、長側壁の下端水平フランジに垂設された嵌合部材が嵌合可能な嵌合空間部を形成したので、箱型に組み立てられた折り畳みコンテナーの長側壁に、外側から負荷がかかっても、長側壁が内側に傾倒したり湾曲するようなことを抑制することができる。
【００１２】
また、長側壁に、上下動可能な傾倒抑制部材を配設したものと較べて、長側壁の下端水平フランジに、複数の嵌合部材を垂設するとともに、底部の長辺側土手部には、長側壁の下端水平フランジに垂設された嵌合部材が嵌合可能な嵌合空間部を形成しただけの簡単な構成であるので、嵌合部材及び嵌合空間部を、多数．形成することができ、従って、箱型に組み立てられた折り畳みコンテナーの長側壁に、外側から負荷がかかった際に、確実に、長側壁が内側に傾倒したり湾曲するようなことを抑制することができる。
【００１３】
更に、略垂直に立てられた長側壁を、下降させるだけで、下端水平フランジの裏面に垂設されている複数の嵌合部材を、底部の長辺側土手部に形成された嵌合空間部に、一斉に、嵌合することができるので、折り畳みコンテナーの組み立て作業の作業性が向上する。同様に、折り畳みコンテナーの折り畳み作業の際には、略垂直に立てられた長側壁を、上昇させるだけで、下端水平フランジの裏面に垂設されている複数の嵌合部材を、底部の長辺側土手部に形成された嵌合空間部から、一斉に、排出することができるので、折り畳みコンテナーの折り畳み作業の作業性が向上する。
【００１４】
更にまた、長側壁の下端水平フランジには、ロッド嵌合用空間部を有するロッド嵌合ブロックを垂設し、底部の長辺側土手部には、長側壁が略垂直に立てられた際に、長側壁の下端水平フランジに垂設されたロッド嵌合ブロックが嵌合可能な嵌合ブロック挿入用凹部を形成するとともに、底部の長辺側土手部には、ロック部材配設空間を形成し、ロック部材配設空間には、長側壁が略垂直に立てられた際に、長側壁の下端水平フランジに垂設されたロッド嵌合ブロックのロッド嵌合用空間部に嵌合可能な嵌合ロッド部を有するロック部材を、水平方向にスライド可能に配設したので、箱型に組み立てられた折り畳みコンテナーを、長側壁を持って、上方に持ち上げても、長側壁が、底部の長辺側土手部から離反するようなことがなく、従って、長側壁が持ち上がり、長側壁の下端水平フランジに垂設されている嵌合部材が、底部の長辺側土手部に形成された嵌合空間部から抜け出るようなことを防止することができる。
【００１５】
なお更に、長側壁の下端水平フランジには、ロッド嵌合用空間部を有するロッド嵌合ブロックを垂設し、底部の長辺側土手部には、長側壁が略垂直に立てられた際に、長側壁の下端水平フランジに垂設されたロッド嵌合ブロックが嵌合可能な嵌合ブロック挿入用凹部を形成するとともに、底部の長辺側土手部には、ロック部材配設空間を形成し、ロック部材配設空間には、長側壁が略垂直に立てられた際に、長側壁の下端水平フランジに垂設されたロッド嵌合ブロックのロッド嵌合用空間部に嵌合可能な嵌合ロッド部を有するロック部材を、水平方向にスライド可能に配設したので、箱型に組み立てられた折り畳みコンテナーを、長側壁を持って、上方に持ち上げても、長側壁が、底部の長辺側土手部から離反するようなことがなく、従って、底部の長辺側土手部に配設された雌ヒンジ部材や長側壁に配設された雄ヒンジ部材が損傷するようなことを防止することができる。
【発明を実施するための最良の形態】
【００１６】
以下に、本発明の実施例について説明するが、本発明の趣旨を越えない限り何ら、本実施例に限定されるものでない。
【００１７】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１８】
次に、図４〜図７を用いて、底部１の長辺側土手部１ａに配設されている雌ヒンジ部材Ｈ１を例に、雌ヒンジ部材Ｈ１について説明するとともに、長側壁２の下端水平フランジ２ａに配設されている雄ヒンジ部材Ｈ２を例に、雄ヒンジ部材Ｈ２について説明する。
【００１９】
底部１の長辺側土手部１ａは、底部１の底板１ｃの縁部から上方に略垂直に延在する内側垂直部１ａ１と、内側垂直部１ａ１の上端から外側に略水平に延在する水平部１ａ２と、水平部１ａ２の縁部から内側垂直部１ａ１と略平行に下方に延在する外側垂直部１ａ３とから構成されており、長手方向に対して垂直な断面形状が、略逆Ｕ字状に形成されている。
【００２０】
長辺側土手部１ａの水平部１ａ２には、平面形状が長方形の縦孔ｈ１が穿設されているとともに、長辺側土手部１ａの内側垂直部１ａ１には、上部が、縦孔ｈ１に連接されているとともに、底板１ｃ付近まで延在する方形状の切欠き凹部ｈ２が形成されている。切欠き凹部ｈ２の横幅（長辺側土手部１ａの長手方向に沿った長さ）は、縦孔ｈ１の長辺長さ（長辺側土手部１ａの長手方向に沿った長さ）より短く、且つ、切欠き凹部ｈ２は、縦孔ｈ１の長辺の略中央部に位置している。
【００２１】
切欠き凹部ｈ２の両側に位置する内側垂直部１ａ１の内面（外側垂直部１ａ３側に位置する面）の上端部には、フックｈ３が突設されており、フックｈ３には、略水平な庇部ｈ３ａが形成されている。
【００２２】
上述したように、底部１の長辺側土手部１ａに形成された縦孔ｈ１と切欠き凹部ｈ２とフックｈ３とにより、雌ヒンジ部材Ｈ１が構成されている。
【００２３】
一方、長側壁２の板状部２ｂに垂直な下端水平フランジ２ａの裏面には、雄ヒンジ部材Ｈ２が形成されている。雄ヒンジブ部材Ｈ２は、下端水平フランジ２ａの裏面に垂設されている支持ブロックｈ１０と、下端水平フランジ２ａの長手方向と直交する支持ブロックｈ１０の相対する側面に突設された当接ブロックｈ１１とから構成されている。また、支持ブロックｈ１０は、雌ヒンジ部材Ｈ１を構成する長辺側土手部１ａの内側垂直部１ａ１に形成された切欠き凹部ｈ２に挿入可能に形成されているとともに、当接ブロックｈ１１が突設されている支持ブロックｈ１０は、雌ヒンジ部材Ｈ１を構成する長辺側土手部１ａの水平部１ａ２に形成された縦孔ｈ１に挿入可能に構成されている。
【００２４】
上述したように、長側壁２の下端水平フランジ２ａの裏面に垂設された支持ブロックｈ１０と支持ブロックｈ１０の相対する側面に突設された当接ブロックｈ１１とにより、雄ヒンジ部材Ｈ２が構成されている。
【００２５】
底部１と長側壁２とをヒンジ連結するには、図６や図７に示されているように、長側壁２の下端水平フランジ２ａの裏面に形成された雄ヒンジ部材Ｈ２の当接ブロックｈ１１が突設されている支持ブロックｈ１０を、長辺側土手部１ａに形成された切欠き凹部ｈ２に挿入するとともに、当接ブロックｈ１１を、長辺側土手部１ａに形成された縦孔ｈ１に挿入することにより、底部１の長辺側土手部１ａに配設された雌ヒンジ部材Ｈ１と長側壁２に配設された雄ヒンジ部材Ｈ２とをヒンジ連結する。
【００２６】
図６に示されているように、折り畳みコンテナーが折り畳まれた状態から、略水平状態の長側壁２を、略垂直に立てた際には、図７に示されているように、長側壁２の下端水平フランジ２ａに配設された雄ヒンジ部材Ｈ２の当接ブロックｈ１１が、底部１に形成された長辺側土手部１ａに配設された雌ヒンジ部材Ｈ１のフックｈ３の庇部ｈ３ａの下方に位置し、当接ブロックｈ１１とフックｈ３の庇部ｈ３ａとの間には、所定の間隔Ｄ１が形成されているとともに、長側壁２の下端水平フランジ２ａが、底部１の長辺側土手部１ａの水平部１ａ２に載置されるように構成されている。また、この状態から、長側壁２を、上方に持ち上げた場合には、長側壁２に形成された雄ヒンジ部材Ｈ２を構成する当接ブロックｈ１１が、底部１の長辺側土手部１ａに形成された雌ヒンジ部材Ｈ１のフックｈ３の庇部ｈ３ａに当接し、長側壁２に形成された雄ヒンジ部材Ｈ２が、底部１の長辺側土手部１ａに形成された雌ヒンジ部材Ｈ１から離反することにないように構成されている。
【００２７】
図８や図９に示されているように、底部１の短辺側土手部１ｂは、長辺側土手部１ａに比べて、高さが低いだけで、その構成は実質的に同じであり、底部１の底板１ｃの縁部から上方に略垂直に延在する内側垂直部１ｂ１と、内側垂直部１ｂ１の上端から外側に略水平に延在する水平部１ｂ２と、水平部１ｂ２の縁部から内側垂直部１ｂ１と略平行に下方に延在する外側垂直部１ｂ３とから構成されており、短辺側土手部１ｂにも、上述した縦孔ｈ１と切欠き凹部ｈ２とフックｈ３とからなる雌ヒンジ部材Ｈ１が形成されている。
【００２８】
一方、図８及び図９に示されているように、短側壁３の下端水平フランジ３ａの裏面にも、底部１の短側壁土手部１ｂに配設された雌ヒンジ部材Ｈ１に対応して、長側壁２の下端水平フランジ２ａに配設されている雄ヒンジ部材Ｈ２と同様の支持ブロックｈ１０と当接ブロックｈ１１とからなる雄ヒンジ部材Ｈ２が配設されている。
【００２９】
短側壁３の下端水平フランジ短側壁３ａの裏面に形成された雄ヒンジ部材Ｈ２と底部１の短側壁土手部１ｂに配設された雌ヒンジ部材Ｈ１とのヒンジ連結は、上述した長側壁２の下端水平フランジ２ａの裏面に形成された雄ヒンジ部材Ｈ２と底部１の長側壁土手部１ａに配設された雌ヒンジ部材Ｈ１とのヒンジ連結と同じであるので、詳細な説明は省略する。
【００３０】
図９に示されているように、短側壁３が、略垂直に立てられた際には、当接ブロックｈ１１が、底部１に形成された短辺側土手部１ｂの内側垂直部１ｂ１に突設されたフックｈ３の庇部ｈ３ａの下に入り込むとともに、短側壁３の下端水平フランジ３ａが、底部１の短辺側土手部１ｂの水平部１ｂ２に載置されるように構成されている。また、フックｈ３の庇部ｈ３ａの下にに入り込んだ当接ブロックｈ１１は、フックｈ３の庇部ｈ３ａと当接するように、或いは、庇部ｈ３ａに接近した配置されるように構成されており、従って、折り畳みコンテナーが、箱型に組み立てられた状態においては、短側壁３は、上下方向にがたつくようなことがない。
【００３１】
図４や図５に示されているように、長側壁２の下端水平リブ２ａの裏面の所定の個所には、後述するロック部材の嵌合ロッド部が嵌合可能なロッド嵌合用空間部Ａ１を有するロッド嵌合ブロック１０が垂設されている。ロッド嵌合ブロック１０に形成されているロッド嵌合用空間部Ａ１は、ロッド嵌合ブロック１０の内面（折り畳みコンテナーが箱型に組み立てられた際に、内側に位置する面）１０ａ側及び下端水平リブ２ａの長手方向と直交する相対する側面１０ｂ側が開放された凹部として形成されている。なお、本実施例には、長側壁２の下端水平リブ２ａの裏面の中央部に、１個のロッド嵌合ブロック１０が垂設されている例が示されている。
【００３２】
底部１の長辺側土手部１ａには、長側壁２を略垂直に立てた際に、長側壁２の下端水平リブ２ａの裏面に垂設されたロッド嵌合ブロック１０が挿入可能な嵌合ブロック挿入用凹部１１が形成されている。嵌合ブロック挿入用凹部１１は、長辺側土手部１ａの外壁部１ａ３に対して略垂直な相対する側壁部１１ａと外壁部１ａ３に略平行な奥壁部１１ｂとにより形成されており、嵌合ブロック挿入用凹部１１は、上下方向と折り畳みコンテナーの内側、換言すれば、長辺側土手部１ａの内壁部１ａ１側が開口されている。
【００３３】
図１０に示されているように、底部１の長辺側土手部１ａには、外側垂直部１ａ３を、内壁部１ａ１方向に凹ますことにより、後述するロック材が配設可能なロック部材配設空間Ａ２が形成されている。ロック部材配設空間Ａ２は、天部ａ１と底板部ａ２と相対する側壁部ａ３と奥壁部ａ４とから形成されており、外側のみが開口されている。なお、本実施例には、長側壁２の下端水平リブ２ａの裏面の中央部に、１個、垂設されたロッド嵌合ブロック１０に対応して、１つのロック部材配設空間Ａ２が形成されている例が示されている。なお、長側壁２の幅が、１メートルや２メートルを越えるように、相当、長い場合には、ロック部材配設空間Ａ２を、複数個、することもできる。
【００３４】
ロック部材配設空間Ａ２を形成する天部ａ１には、長辺側土手部１ａの長手方向に沿って、換言すれば、長辺側土手部１ａの内壁部１ａ１と略平行に、上部スリット或いは上部長溝ａ５が形成されており、また、底板部ａ２には、同様に、長辺側土手部１ａの長手方向に沿って、換言すれば、長辺側土手部１ａの内壁部１ａ１と略平行に、下部スリットａ６が穿設されている。
【００３５】
また、底部１の長辺側土手部１ａに形成された嵌合ブロック挿入用凹部１１を構成する相対する側壁部１１ａのうち、ロック部材配設空間Ａ２側に位置する側壁部１１ａは、ロック部材配設空間Ａ２を形成する相対する側壁部ａ３のうち、嵌合ブロック挿入用凹部１１側に位置する側壁部ａ３と共通な隔壁Ｐとして形成されている。この嵌合ブロック挿入用凹部１１とロック部材配設空間Ａ４との隔壁Ｐには、後述するロック部材の嵌合ロッド部が挿通可能な透孔ｐ１が穿設されている。
【００３６】
次に、図１０を用いて、ロック部材配設空間Ａ２内に、水平方向にスライド可能に配設されるロック部材Ｓ１について説明する。
【００３７】
ロック部材Ｓ１は、箱型状のスライド基部ｓ１を有しており、スライド基部ｓ１の相対する側壁部ｓ１ａの一方の側壁部ｓ１ａには、側壁部ｓ１ａに略垂直に、上述した底部１の長辺側土手部１ａに形成された嵌合ブロック挿入用凹部１１とロック部材配設空間Ａ２との隔壁Ｐに穿設された透孔ｐ１に挿通可能な嵌合ロッド部ｓ２が突設されている。また、スライド基部ｓ１の天部ｓ１ｂの上面には、上述した底部１の長辺側土手部１ａに形成されたロック部材配設空間Ａ２を構成する天部ａ１に形成された上部スリット或いは上部長溝ａ５に嵌合可能な上部ガイドピンｓ３が突設されており、更に、スライド基部ｓ１の底板部ｓ１ｃの裏面には、上述した底部１の長辺側土手部１ａに形成されたロック部材配設空間Ａ２を構成する底板部ａ２に穿設された下部スリットａ６に嵌合可能な下部ガイドピンｓ４が複数個（本実施例においては、２個）垂設されている。
【００３８】
ロック部材Ｓ１を、底部１の長辺側土手部１ａに形成されたロック部材配設空間Ａ２に配設するには、ロック部材Ｓ１の嵌合ロッド部ｓ２が、底部１の長辺側土手部１ａに形成された嵌合ブロック挿入用凹部１１とロック部材配設空間Ａ２との隔壁Ｐに穿設された透孔ｐ１側に位置するように配置するとともに、ロック部材Ｓ１のスライド基部ｓ１の底板部ｓ１ｃの裏面に垂設された下部ガイドピンｓ４を、ロック部材配設空間Ａ２を構成する底板部ａ２に穿設された下部スリットａ６に嵌合するとともに、ロック部材Ｓ１を、ロック部材配設空間Ａ２の奥壁部ａ４方向に移動させて、強制的に、ロック部材Ｓ１のスライド基部ｓ１の天部ｓ１ｂに立設された上部ガイドピンｓ３を、ロック部材配設空間Ａ２を構成する天部ａ１に形成された上部スリット或いは上部長溝ａ５に嵌合する。このようにして、ロック部材Ｓ１が、底部１の長辺側土手部１ａに形成されたロック部材配設空間Ａ２内を、水平方向にスライド可能に配設されることになる。
【００３９】
図３に示されているように、折り畳まれた状態の折り畳みコンテナーを、図１に示されているように、箱型に組み立てる場合には、先ず最初に、一方の長側壁２を、垂直方向に回動させることになるが、この長側壁２の垂直方向への回動に先立って、底部１の長辺側土手部１ａに形成されたロック部材配設空間Ａ２内に配設されたロック部材Ｓ１を、長辺側土手部１ａに形成された嵌合ブロック挿入用凹部１１とロック部材配設空間Ａ２との隔壁Ｐから遠ざかる方向に水平にスライドさせて、図５に示されているように、ロック部材Ｓ１の嵌合ロッド部ｓ２を、隔壁Ｐに穿設された透孔ｐ１から排出させて、底部１の長辺側土手部１ａに配設されたロック部材Ｓ１と長側壁２に配設されたロッド嵌合ブロック１０のロック状態を解除しておく。この状態から、長側壁２を、垂直方向に回動させると、長側壁２の下端水平リブ２ａの中央部付近の裏面に垂設されたロッド嵌合ブロック１０が、底部１の長辺側土手部１ａに形成された嵌合ブロック挿入用凹部１１に嵌合されて、長側壁２が、略垂直に立てられることになる。
【００４０】
次いで、ロック部材配設空間Ａ２内に配設されたロック部材Ｓ１を、嵌合ブロック挿入用凹部１１とロック部材配設空間Ａ２との隔壁Ｐ方向にスライドさせて、ロック部材Ｓ１の嵌合ロッド部ｓ２を、隔壁Ｐに穿設された透孔ｐ１に挿通するとともに、ロック部材Ｓ１の嵌合ロッド部ｓ２を、図１１に示されているように、隔壁Ｐに穿設された透孔ｐ１と連通状態に配置されているロッド嵌合ブロック１０のロッド嵌合用空間部Ａ１に嵌合して、底部１の長辺側土手部１ａに配設されたロック部材Ｓ１と長側壁２に配設されたロッド嵌合ブロック１０とをロック状態にする。次いで、同様にして、もう一方の長側壁２を、垂直方向に回動させて、もう一方の長側壁２の下端水平リブ２ａの裏面に垂設されたロッド嵌合ブロック１０を、底部１の長辺側土手部１ａに形成された嵌合ブロック挿入用凹部１１に嵌合させて、もう一方の長側壁２を、略垂直に立て、その後、ロック部材配設空間Ａ２内に配設されたロック部材Ｓ１を、嵌合ブロック挿入用凹部１１とロック部材配設空間Ａ２との隔壁Ｐ方向にスライドさせて、ロック部材Ｓ１の嵌合ロッド部ｓ２を、隔壁Ｐに穿設された透孔ｐ１に挿通するとともに、ロック部材Ｓ１の嵌合ロッド部ｓ２を、隔壁Ｐに穿設された透孔ｐ１と連通状態に配置されているロッド嵌合ブロック１０のロッド嵌合用空間部Ａ１に嵌合して、底部１の長辺側土手部１ａに配設されたロック部材Ｓ１と長側壁２に配設されたロッド嵌合ブロック１０とをロック状態にする。その後、短側壁３を、垂直方向に回動させて、略垂直に立てることにより、折り畳まれた状態の折り畳みコンテナーが、箱型に組み立てられることになる。
【００４１】
上述したように．折り畳みコンテナーが箱型に組み立てられた状態においては、底部１の長辺側土手部１ａに形成されたロック部材配設空間Ａ２内に水平方向にスライド可能に配設されたロック部材Ｓ１の嵌合ロッド部ｓ２が、長側壁２の下端水平リブ２ａの裏面に垂設されたロッド嵌合ブロック１０のロッド嵌合用空間部Ａ１に嵌合されているので、箱型に組み立てられた折り畳みコンテナーを、長側壁２を持って、上方に持ち上げても、長側壁２が、底部１の長辺側土手部１ａから離反するようなことがない。
【００４２】
図４、図５及び図１２に示されているように、長側壁２の下端水平フランジ２ａの裏面には、所定の間隔で、複数個の嵌合部材２０が垂設されており、嵌合部材２０は、下端水平フランジ２ａの裏面に垂設された略箱形状の上部嵌合部２０ａと、上部嵌合部２０ａの裏面に垂設されているとともに、上部嵌合部２０ａより小形の略箱形状の下部嵌合部２０ｂとにより構成されている。
【００４３】
一方、図４、図５及び図１２に示されているように、底部１の長辺側土手部１ａには、上述した長側壁２の下端水平フランジ２ａの裏面に垂設された嵌合部材２０に対応して、長辺側土手部１ａの水平部１ａ２には、嵌合空間部Ａ３が形成されている。嵌合空間部Ａ３は、長側壁２の下端水平フランジ２ａの裏面に垂設された嵌合部材２０の上部嵌合部２０ａが嵌合可能な上部凹部Ａ３’と長側壁２の下端水平フランジ２ａの裏面に垂設された嵌合部材２０の下部嵌合部２０ｂが嵌合可能な嵌合透孔Ａ３”とから形成されている。図３には、一例として、底部１の長辺側土手部１ａに配設された雌ヒンジ部材Ｈ１間に位置する長辺側土手部１ａの水平部１ａ２及び雌ヒンジ部材Ｈ１と嵌合ブロック挿入用凹部１１間に位置する長辺側土手部１ａの水平部１ａ２に、嵌合空間部Ａ３が形成されている例が示されているが、何ら、この実施例に限定されるものではない。両端部と中央部に位置する３箇所の長辺側土手部１ａの水平部１ａ２に、嵌合空間部Ａ３を形成することもできる。
【００４４】
上述した嵌合空間部Ａ３の上部凹部Ａ３’は、底部１の長辺側土手部１ａの外側垂直部１ａ３と略平行な奥壁部ａ１０と、長辺側土手部１ａの長手方向に垂直な相対する側壁部ａ１１と、底板部ａ１２とから構成されており、上方及び折り畳みコンテナーの内側、換言すれば、長辺側土手部１ａの内壁部１ａ１側が開口されている。また、上述した嵌合空間部Ａ３の嵌合透孔Ａ３”は、上部凹部Ａ３’を形成する底板部ａ１２に穿設された透孔ａ１３として構成されている。
【００４５】
上述した底部１の長辺側土手部１ａに形成された嵌合空間部Ａ３の上部凹部Ａ３’に、上述した長側壁２の下端水平フランジ２ａの裏面に垂設されている嵌合部材２０の上部嵌合部２０ａが嵌合され、また、底部１の長辺側土手部１ａに形成された嵌合空間部Ａ３の嵌合透孔Ａ３”に、上述した長側壁２の下端水平フランジ２ａの裏面に垂設されている嵌合部材２０の下部嵌合部２０ｂが嵌合されるように構成されている。
【００４６】
また、必要に応じて、図１〜図３に示されているように、長側壁２の横長の略長方形状の板状部２ｂの両端部には、板状部２ｂに対して略直角方向に延在する縦長の係合枠４が形成されており、係合枠４には、適当数の透孔４ａが穿設されている。また、係合枠４付近に位置する板状部２ｂに、コの字状のスリット５を形成することにより、係合枠４側が自由端に形成された弾性舌片６が形成されている。弾性舌片６の先端部には、係合枠４と対向するように、係止凸部６ａが形成されている。
【００４７】
短側壁３の横長の略長方形状の板状部３ｂの両端部には、板状部３ｂを延長することにより、縦長の係合枠７が形成されており、係合枠７には、長側壁２の係合枠４に穿設されている透孔４ａに嵌合する嵌合突起７ａが形成されている。
【００４８】
図３に示されているように、折り畳まれた状態から、図１に示されているように、箱型に組み立てるには、先ず最初に、略水平状態の長側壁２を、略垂直に立て、次いで、短側壁３を、略垂直に立てられた長側壁２方向に回動させると、短側壁３の係合枠７に形成された嵌合突起７ａの長側壁２の係合枠４に穿設された透孔４ａへの嵌合に前後して、短側壁３の係合枠７が、長側壁２に形成された弾性舌片６の係止凸部６ａに当接し、弾性舌片６を外側に変形させる。そして、短側壁３の係合枠７が、長側壁２に形成された弾性舌片６の係止凸部６ａを通過した時点で、短側壁３の係合枠７により外側に押された弾性舌片６が、その復元力により戻り、弾性舌片６の係止凸部６ａが、略垂直に立てられた短側壁３の係合枠７に当接して、短側壁３の底部１方向への回動を阻止するように構成されている。
【００４９】
また、箱型に組み立てられた折り畳みコンテナーを、折り畳むには、先ず最初に、長側壁２の弾性舌片６を、その係止凸部６ａが、短側壁３の係合枠７から外れるように、外側に押し、その後、短側壁３を底部１方向に回動させることにより、短側壁３の係合枠７に形成された嵌合突起７ａを、長側壁２の係合枠４に穿設された透孔４ａから排出させて、短側壁３を底部１の上に倒す。その後、略垂直な長側壁２を、底部１方向に倒すことにより、箱型に組み立てられた折り畳みコンテナーを折り畳むように構成されている。
【００５０】
図３に示されているように、折り畳まれた状態の折り畳みコンテナーを、図１に示されているように、箱型に組み立てるには、先ず最初に、一番上に位置する長側壁２を、垂直方向に回動させることになるが、この長側壁２の垂直方向への回動に先立って、上述したように、底部１の長辺側土手部１ａに形成されたロック部材配設空間Ａ２内に配設されたロック部材Ｓ１を、長辺側土手部１ａに形成された嵌合ブロック挿入用凹部１１とロック部材配設空間Ａ２との隔壁Ｐから遠ざかる方向にスライドさせて、図５に示されているように、ロック部材Ｓ１の嵌合ロッド部ｓ２を、隔壁Ｐに穿設された透孔ｐ１から排出させておく。この状態から、長側壁２を、垂直方向に回動させると、長側壁２の下端水平リブ２ａの中央部付近の裏面に垂設されたロッド嵌合ブロック１０が、底部１の長辺側土手部１ａに形成された嵌合ブロック挿入用凹部１１に嵌合されて、長側壁２が、略垂直に立てられることになる。
【００５１】
また、長側壁２の垂直方向への回動の際には、長側壁２が略垂直に立てられる前に、長側壁２を持ち上げて、長側壁２の下端水平フランジ２ａの裏面に垂設されている嵌合部材２０の下部嵌合部２０ｂが、底部１を構成する長辺側土手部１ａの内側垂直部１ａ１に当接しないようにしておく。そして、長側壁２が、略垂直に立てられた際には、図１３に示されているように、少なくとも、長側壁２の下端水平フランジ２ａの裏面に垂設されている嵌合部材２０の下部嵌合部２０ｂが、底部１の長辺側土手部１ａに形成された嵌合空間部Ａ３の嵌合透孔Ａ３”より、上方に、換言すれば、嵌合空間部Ａ３を構成する上部凹部Ａ３’の底板部ａ１２より上方に位置するようにする。その後、長側壁２を下降させて、図１４に示されているように、長側壁２の下端水平フランジ２ａの裏面に垂設されている嵌合部材２０の下部嵌合部２０ｂを、底部１を構成する長辺側土手部１ａに形成された嵌合空間部Ａ３の嵌合透孔Ａ３”に嵌合させるとともに、前記の嵌合部材２０の上部嵌合部２０ａを、前記の嵌合空間部Ａ３の上部凹部Ａ３’に嵌合させる。
【００５２】
その後、ロック部材配設空間Ａ２内に配設されたロック部材Ｓ１を、嵌合ブロック挿入用凹部１１とロック部材配設空間Ａ２との隔壁Ｐ方向に水平スライドさせて、ロック部材Ｓ１の嵌合ロッド部ｓ２を、隔壁Ｐに穿設された透孔ｐ１に挿通するとともに、ロック部材Ｓ１の嵌合ロッド部ｓ１１を、隔壁Ｐに穿設された透孔ｐ１と連通状態に配置されているロッド嵌合ブロック１０のロッド嵌合用空間部Ａ１に嵌合する。
【００５３】
その後、水平状態に倒されている、もう一方の長側壁２を、上述した一番上に位置する長側壁２と同様に、略垂直に立てる。その後、水平状態の相対する短側壁３を、略垂直に立てることにより、図１に示されているように、箱形に組み立てられることになる。
【００５４】
上述したようにして、折り畳みコンテナーが箱型に組み立てられた際には、長側壁２の下端水平フランジ２ａの裏面に垂設されている嵌合部材２０の下部嵌合部２０ｂが、底部１を構成する長辺側土手部１ａに形成された嵌合空間部Ａ３の嵌合透孔Ａ３”に嵌合されているので、長側壁２に、外側から負荷がかかっても、長側壁２が内側に傾倒したり湾曲するようなことを抑制することができる。
【００５５】
また、上述したように、折り畳みコンテナーが箱型に組み立てられた際には、底部１の長辺側土手部１ａに形成されたロック部材配設空間Ａ２内に水平方向にスライド可能に配設されたロック部材Ｓ１の嵌合ロッド部ｓ２が、嵌合ブロック挿入用凹部１１とロック部材配設空間Ａ２との隔壁Ｐに穿設された透孔ｐ１に挿通されているとともに、長側壁２の下端水平リブ２ａの裏面に垂設されたロッド嵌合ブロック１０のロッド嵌合用空間部Ａ１に嵌合され、底部１の長辺側土手部１ａに配設されたロック部材Ｓ１と長側壁２に配設されたロッド嵌合ブロック１０とがロック状態にあるので、箱型に組み立てられた折り畳みコンテナーを、長側壁２を持って、上方に持ち上げても、長側壁２が、底部１の長辺側土手部１ａから離反するようなことがなく、従って、長側壁２が持ち上がり、長側壁２の下端水平フランジ２ａの裏面に垂設されている嵌合部材２０の下部嵌合部２０ｂが、底部１を構成する長辺側土手部１ａに形成された嵌合空間部Ａ３の嵌合透孔Ａ３”から抜け出るようなことを防止することができる。
【００５６】
更に、上述したように、折り畳みコンテナーが箱型に組み立てられた際には、底部１の長辺側土手部１ａに形成されたロック部材配設空間Ａ２内に水平方向にスライド可能に配設されたロック部材Ｓ１の嵌合ロッド部ｓ２が、嵌合ブロック挿入用凹部１１とロック部材配設空間Ａ２との隔壁Ｐに穿設された透孔ｐ１に挿通されているとともに、長側壁２の下端水平リブ２ａの裏面に垂設されたロッド嵌合ブロック１０のロッド嵌合用空間部Ａ１に挿入され、底部１の長辺側土手部１ａに配設されたロック部材Ｓ１と長側壁２に配設されたロッド嵌合ブロック１０とがロック状態にあるので、箱型に組み立てられた折り畳みコンテナーを、長側壁２を持って、上方に持ち上げても、長側壁２が、底部１の長辺側土手部１ａから離反するようなことがなく、従って、底部１の長辺側土手部１ａに配設された雌ヒンジ部材Ｈ１や長側壁２に配設された雄ヒンジ部材Ｈ２が損傷するようなことを防止することができる。
【００５７】
なお、上述した実施例には、長側壁２の下端水平リブ２ａの裏面に垂設されたロッド嵌合ブロック１０に形成されているロッド嵌合用空間部Ａ１が、ロッド嵌合ブロック１０の内面１０ａ側及び下端水平リブ２ａの長手方向と直交する相対する側面１０ｂ側が開放された凹部として形成されているが、ロッド嵌合用空間部Ａ１を、相対する側面１０ｂに垂直なトンネル状の透孔として形成することもできる。
【００５８】
また、上述した実施例には、長側壁２の下端水平フランジ２ａの裏面に垂設された嵌合部材２０が上部嵌合部２０ａと下部嵌合部２０ｂとにより構成されているが、上部嵌合部２０ａを省略し、下部嵌合部２０ｂのみとすることもできる。この場合には、底部１の長辺側土手部１ａに形成された嵌合空間部Ａ３は、下部嵌合部２０ｂのみから形成されることになる。
【００５９】
本発明は、上述したように、長側壁２に配設された雄ヒンジ部材Ｈ２を、底部１の長辺側土手部１ａに配設された雌ヒンジ部材Ｈ１に、上下動可能にヒンジ連結し、また、長側壁２の下端水平フランジ２ａの裏面には、複数の嵌合部材２０を垂設し、底部１の長辺側土手部１ａには、長側壁２が略垂直に立てられた際に、長側壁２の下端水平フランジ２ａの裏面に垂設された嵌合部材２０が嵌合可能な嵌合空間部Ａ３を形成し、更に、長側壁２の下端水平フランジ２ａには、ロッド嵌合用空間部Ａ１を有するロッド嵌合ブロック１０を垂設し、底部１の長辺側土手部１ａには、長側壁２が略垂直に立てられた際に、長側壁２の下端水平フランジ２ａに垂設されたロッド嵌合ブロック１０が嵌合可能な嵌合ブロック挿入用凹部１１を形成するとともに、底部１の長辺側土手部１ｂには、ロック部材配設空間Ａ２を形成し、ロック部材配設空間Ａ２には、長側壁２が略垂直に立てられた際に、長側壁２の下端水平フランジ２ａに垂設されたロッド嵌合ブロック１０のロッド嵌合用空間部Ａ１に嵌合可能な嵌合ロッド部ｓ２を有するロック部材Ｓ１を、水平方向にスライド可能に配設したものである。
【００６０】
上述したように、長側壁２の下端水平フランジ２ａの裏面には、複数の嵌合部材２０を垂設し、底部１の長辺側土手部１ａには、長側壁２が略垂直に立てられた際に、長側壁２の下端水平フランジ２ａの裏面に垂設された嵌合部材２０が嵌合可能な嵌合空間部Ａ３を形成したので、箱型に組み立てられた折り畳みコンテナーの長側壁２に、外側から負荷がかかっても、長側壁２が内側に傾倒したり湾曲するようなことを抑制することができる。
【００６１】
また、上述した特許文献１に開示されているように、長側壁に、上下動可能な傾倒抑制部材を配設したものと較べて、長側壁２の下端水平フランジ２ａの裏面に、嵌合部材２０を垂設するとともに、底部１の長辺側土手部１ａには、嵌合部材２０が嵌合可能な嵌合空間部Ａ３を形成しただけの簡単な構成であるので、嵌合部材２０及び嵌合空間部Ａ３を、多数．形成することができ、従って、箱型に組み立てられた折り畳みコンテナーの長側壁２に、外側から負荷がかかった際に、確実に、長側壁２が内側に傾倒したり湾曲するようなことを抑制することができる。
【００６２】
更に、略垂直に立てられた長側壁を、下降させるだけで、下端水平フランジ２ａの裏面に垂設されている複数の嵌合部材２０を、底部１の長辺側土手部１ａに形成された嵌合空間部Ａ３に、一斉に、嵌合することができるので、折り畳みコンテナーの組み立て作業の作業性が向上する。同様に、折り畳みコンテナーの折り畳み作業の際には、略垂直に立てられた長側壁を、上昇させるだけで、下端水平フランジ２ａの裏面に垂設されている複数の嵌合部材２０を、底部１の長辺側土手部１ａに形成された嵌合空間部Ａ３から、一斉に、排出することができるので、折り畳みコンテナーの折り畳み作業の作業性が向上する。
【００６３】
更にまた、長側壁２の下端水平フランジ２ａには、ロッド嵌合用空間部Ａ１を有するロッド嵌合ブロック１０を垂設し、底部１の長辺側土手部１ａには、長側壁２が略垂直に立てられた際に、長側壁２の下端水平フランジ２ａに垂設されたロッド嵌合ブロック１０が嵌合可能な嵌合ブロック挿入用凹部１１を形成するとともに、底部１の長辺側土手部１ｂには、ロック部材配設空間Ａ２を形成し、ロック部材配設空間Ａ２には、長側壁２が略垂直に立てられた際に、長側壁２の下端水平フランジ２ａに垂設されたロッド嵌合ブロック１０のロッド嵌合用空間部Ａ１に嵌合可能な嵌合ロッド部ｓ２を有するロック部材Ｓ１を、水平方向にスライド可能に配設したので、箱型に組み立てられた折り畳みコンテナーを、長側壁２を持って、上方に持ち上げても、長側壁２が、底部１の長辺側土手部１ａから離反するようなことがなく、従って、長側壁２が持ち上がり、長側壁２の下端水平フランジ２ａに垂設されている嵌合部材２０が、底部１の長辺側土手部１ａに形成された嵌合空間部Ａ３から抜け出るようなことを防止することができる。
【００６４】
なお更に、長側壁２の下端水平フランジ２ａには、ロッド嵌合用空間部Ａ１を有するロッド嵌合ブロック１０を垂設し、底部１の長辺側土手部１ａには、長側壁２が略垂直に立てられた際に、長側壁２の下端水平フランジ２ａに垂設されたロッド嵌合ブロック１０が嵌合可能な嵌合ブロック挿入用凹部１１を形成するとともに、底部１の長辺側土手部１ｂには、ロック部材配設空間Ａ２を形成し、ロック部材配設空間Ａ２には、長側壁２が略垂直に立てられた際に、長側壁２の下端水平フランジ２ａに垂設されたロッド嵌合ブロック１０のロッド嵌合用空間部Ａ１に嵌合可能な嵌合ロッド部ｓ２を有するロック部材Ｓ１を、水平方向にスライド可能に配設したので、箱型に組み立てられた折り畳みコンテナーを、長側壁２を持って、上方に持ち上げても、長側壁２が、底部１の長辺側土手部１ａから離反するようなことがなく、従って、底部１の長辺側土手部１ａに配設された雌ヒンジ部材Ｈ１や長側壁２に配設された雄ヒンジ部材Ｈ２が損傷するようなことを防止することができる。
【００６５】
なお、上述した実施例には、長側壁２に配設された雄ヒンジ部材Ｈ２を、底部１の長辺側土手部１ａに配設された雌ヒンジ部材Ｈ１に、上下動可能にヒンジ連結するとともに、長側壁２の下端水平フランジ２ａの裏面に、嵌合部材２０を垂設し、底部１の長辺側土手部１ａに、長側壁２の下端水平フランジ２ａの裏面に垂設された嵌合部材２０が嵌合可能な嵌合空間部Ａ３を形成した例が示されているが、短側壁３に配設された雄ヒンジ部材Ｈ２を、底部１の短辺側土手部１ｂに配設された雌ヒンジ部材Ｈ１に、上下動可能にヒンジ連結するとともに、短側壁３の下端水平フランジ３ａの裏面に、嵌合部材２０を垂設し、底部１の短辺側土手部１ｂに、短側壁３の下端水平フランジ３ａの裏面に垂設された嵌合部材２０が嵌合可能な嵌合空間部Ａ３を形成し、略垂直に立てられた短側壁３が内側に傾倒したり湾曲するようなことを抑制するように構成することもできる。この場合には、ロッド嵌合用空間部Ａ１を有するロッド嵌合ブロック１０が、短側壁３の下端水平フランジ３ａの裏面に垂設され、ロッド嵌合ブロック１０が挿入可能な嵌合ブロック挿入用凹部１１が、底部１の短辺側土手部１ｂに形成され、また、底部１の短辺側土手部１ｂにロック部材配設空間Ａ２が形成され、ロック部材配設空間Ａ２にロック部材Ｓ１が、水平方向にスライド可能に配設されることになる。
【図面の簡単な説明】
【００６６】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの長側壁と底部の部分分解斜視図である。
【図５】図５は、同じく、本発明の折り畳みコンテナーの長側壁と底部の部分分解斜視図である。
【図６】図６は、本発明の折り畳みコンテナーが折り畳まれた状態の部分垂直断面図である。
【図７】図７は、本発明の折り畳みコンテナーの長側壁が立てられた状態の部分垂直断面図である。
【図８】図８は、本発明の折り畳みコンテナーの短側壁と底部の部分分解斜視図である。
【図９】図９は、本発明の折り畳みコンテナーの短側壁が立てられた状態の部分垂直断面図である。
【図１０】図１０は、本発明の折り畳みコンテナーの底部とロック部材の部分分解斜視図である。
【図１１】図１１は、本発明の折り畳みコンテナーの長側壁が立てられた状態の部分垂直断面図である。
【図１２】図１２は、本発明の折り畳みコンテナーの長側壁と底部の部分分解斜視図である。
【図１３】図１３は、本発明の折り畳みコンテナーの長側壁が立てられた状態の部分垂直断面図である。
【図１４】図１４は、同じく、本発明の折り畳みコンテナーの長側壁が立てられた状態の部分垂直断面図である。
【符号の説明】
【００６７】
Ａ１・・・・・・・・・・・・・ロッド嵌合用空間部
Ａ２・・・・・・・・・・・・・ロック部材配設空間
Ａ３・・・・・・・・・・・・・嵌合空間部
Ｈ１・・・・・・・・・・・・・雌ヒンジ部材
Ｈ２・・・・・・・・・・・・・雄ヒンジ部材
Ｓ１・・・・・・・・・・・・・ロック部材
１・・・・・・・・・・・・・・底部
１ａ・・・・・・・・・・・・・長辺側土手部
２・・・・・・・・・・・・・・長側壁
２ａ・・・・・・・・・・・・・下端水平リブ
３・・・・・・・・・・・・・・短側壁
１０・・・・・・・・・・・・・ロッド嵌合ブロック
１１・・・・・・・・・・・・・嵌合ブロック挿入用凹部
２０・・・・・・・・・・・・・嵌合部材
【図１】
0004689459.tif 000002
【図２】
0004689459.tif 000003
【図３】
0004689459.tif 000004
【図４】
0004689459.tif 000005
【図５】
0004689459.tif 000006
【図６】
0004689459.tif 000007
【図７】
0004689459.tif 000008
【図８】
0004689459.tif 000009
【図９】
0004689459.tif 000010
【図１０】
0004689459.tif 000011
【図１１】
0004689459.tif 000012
【図１２】
0004689459.tif 000013
【図１３】
0004689459.tif 000014
【図１４】
0004689459.tif 000015